(57)【要約】【課題】収納棚への組み込みが容易で、美観に優れた蒸気排出ユニットを提供する。【解決手段】本蒸気排出ユニットは、電気器具が収納される収納棚の上部に組み込まれ、ユニット本体に設けた蒸気吸込口と蒸気排気口間に配置されるダクト及び吸排気用の送風機を備え、ユニット本体の両側面には、これら両側面の中間部から突出し、収納棚の両側に設けられた取付部に載置された状態で螺着される取付部材が設けられる。【選択図】  図７
2010046302.tif 000002
【特許請求の範囲】
【請求項１】
電気器具が収納される収納棚の上部に組み込まれ、ユニット本体に設けた蒸気吸込口と蒸気排気口間に配置されるダクト及び吸排気用の送風機を備える蒸気排出ユニットにおいて、
前記ユニット本体の両側面には、これら両側面の中間部から突出し、
前記収納棚の両側に設けられた取付部に載置された状態で螺着される取付部材が設けられる
ことを特徴とする蒸気排出ユニット。
【請求項２】
前記取付部材の前記取付部への螺着は、本体底部側から行われることを特徴とする請求項１に記載の蒸気排出ユニット。
【発明の詳細な説明】
【技術分野】
【０００１】
本発明は蒸気排出ユニットに係り、特に、収納棚への取り付け構造を改良した蒸気排出ユニットに関する。
【背景技術】
【０００２】
従来、収納棚に収納された炊飯器、電気ポットあるいはコーヒーメーカーなどの電気器具の加熱時に発生する蒸気を外部に排出するために、収納棚に蒸気排出ユニットを組み込んでいる。
【０００３】
このような従来の蒸気排出ユニットにおいて、電気炊飯器や電気ポットなどヒータを熱源とする電気器具が多く収納される。
【０００４】
従来の蒸気排出ユニットとして、遠心式ファンが収容されるケーシングのファン収容部の高さと蒸気排出口の高さとを略同一にして、薄形化を図り、収納される電気器具の高さに制約を受けない蒸気排出ユニットが提案されている（例えば、特許文献１参照）。
【０００５】
しかしながら、この特許文献１に記載の蒸気排出ユニットは、図１０に示すように、収納棚３１の両側に設け一対の取付部３１ａに、ユニット本体の側面２ｄの側面下端２ｄ２に固着した取付部材１４を載置した状態で螺着して、ユニット本体を収納棚３１に組み込んでいた。
【０００６】
このように取付部材１４の固着位置が、側面下端２ｄ２にあるため、蒸気排出ユニットの製造後の梱包時、あるいは、開梱時、蒸気排出ユニットの収納棚３１への組み込み時などに、作業者が取付部材１４を作業台、床などに当てるなどして、取付部材１４を変形させることがある。
【０００７】
取付部材１４が変形すると、収納棚３１への組み込みが困難になり、また、組み込み後に収納棚３１に対して傾きが生じたり、蒸気排出ユニットと収納棚間に隙間が生じたりして、美観に劣る。
【特許文献１】特開２００８−１６１４３２号公報
【発明の開示】
【発明が解決しようとする課題】
【０００８】
本発明は上述した事情を考慮してなされたもので、収納棚への組み込みが容易で、美観に優れた蒸気排出ユニットを提供することを目的とする。
【課題を解決するための手段】
【０００９】
上述した目的を達成するため、本発明に係る蒸気排出ユニットは、電気器具が収納される収納棚の上部に組み込まれ、ユニット本体に設けた蒸気吸込口と蒸気排気口間に配置されるダクト及び吸排気用の送風機を備える蒸気排出ユニットにおいて、前記ユニット本体の両側面には、これら両側面の中間部から突出し、前記収納棚の両側に設けられた取付部に載置された状態で螺着される取付部材が設けられることを特徴とする。
【発明の効果】
【００１０】
本発明に係る蒸気排出ユニットによれば、収納棚への組み込みが容易で、美観に優れた蒸気排出ユニットを提供することができる。
【発明を実施するための最良の形態】
【００１１】
本発明の一実施形態に係る蒸気排出ユニットについて添付図面を参照して説明する。
【００１２】
図１は本発明の一実施形態に係る蒸気排出ユニットを組み込んだ収納棚の正面図、図２は本発明の一実施形態に係る蒸気排出ユニットを組み込んだ収納棚の斜視図、図３は本蒸気排出ユニットの正面図、図４は本蒸気排出ユニットの下面図、図５は本蒸気排出ユニットの天板を外しダクトを透視した状態の平面図、図６は本蒸気排出ユニットの幅方向の縦断面図である。
【００１３】
図１および図２に示すように、本発明の一実施形態に係る蒸気排出ユニット１は、炊飯器、電気保温ポットあるいはコーヒーメーカーなどの電気器具が収納される収納棚３１の収納部３２の上部に組み込み使用される。
【００１４】
図３に示すように、蒸気排出ユニット１は天板２ａを備えた扁平直方体状のユニット本体２を有し、ユニット本体２の前面部２ｃには蒸気排気口３が設けられる。
【００１５】
図４に示すように、ユニット本体２の底面には、このユニット本体２の一部をなす凹部形成板４によって形成され、底面が平らで扁平略矩形状の凹部５が設けられ、この凹部５の略全体を覆うように平板状の蒸気分散板６が取り付けられる。
【００１６】
凹部５は可能な限り浅くして、ユニット本体２を薄くし、さらに、蒸気分散板６は、凹部５の下端部５ａと段差ができるように凹部５に押し込んで、空間部を形成し、蒸気分散板６の下方には大きな収納部３２（図２）のスペースを形成する。
【００１７】
また、凹部５には、蒸気分散板６により図中ドットを付して示す蒸気吸込口７が形成され、この蒸気吸込口７は、蒸気分散板６に設けた円弧部を含む略Ｔ字状の第１の吸込口７ａと、蒸気分散板６の周縁部と凹部５の側面とで画成されるコ字状の第２の吸込口７ｂからなる。これにより、均一かつ速やかな吸い込みが可能となる。
【００１８】
図５は天板を外しダクトを透視した状態の平面図であり、図５および図６に示すように、送風機８はユニット本体２の前面の略中央部近傍に、ユニット本体２の前面から奥行方向及び下方に延びるように水平状態に配され、遠心式ファン９を備え、ケーシング１０外には遠心式ファン９を回転させるモータ１１が設けられる。このモータ１１はケーシング１０とユニット本体２の本体底部２ｂとの間に形成される空間ｓに収容される。
【００１９】
ケーシング１０のケーシング吸込口１０ａは、送風機８の上方に位置するダクト１２に設けたダクト吸込口１２ａ、１２ａに連通する。
【００２０】
ダクト１２は扁平で略逆２等辺三角形状をなし、この２等辺三角形の頂角近傍に、上記２個のダクト吸込口１２ａ、１２ａを設け、底角近傍にダクト吹出口１２ｂを設けている。２個のダクト吸込口１２ａ、１２ａは、凹部形成板４に設けた２個の通気孔４ａに各々一致し、ダクト吸込口１２ａ、１２ａ及び通気孔４ａ、４ａは、各々蒸気分散板６と凹部形成板４間に形成される扁平な狭い通気路１３に対向して開口する。
【００２１】
一方、ダクト吹出口１２ｂは凹部形成板４の２個の通気孔４ａの幅方向の距離の中間に位置、すなわち送風機８は、２個のダクト吸込口１２ａ、１２ａの幅方向の距離の中間に位置する。
【００２２】
このダクト１２が蒸気吸込口７及び通気孔４ａを介して吸い込んだ蒸気を、ダクト吹出口１２ｂ、ケーシング吸込口１０ａを介してケーシング１０に吸い込み、蒸気排気口３からユニット本体２外に排出する。
【００２３】
また、送風機８を２個のダクト吸込口１２ａ、１２ａの幅方向の距離の中間に位置させることにより、収納部３２で発生する蒸気を偏りなく、速やかに排出でき、さらに、吸気に偏りがない。
【００２４】
ケーシング１０には、遠心式ファン９の高さより僅かに高く（広い上下幅）、略円形状に形成され、ファン収容部１０ｂが設けられ、さらに、このファン収容部１０ｂとケーシング吹出口１０ｃ間には、排気路部１０ｄが設けられる。
【００２５】
この排気路部１０ｄは、その底面部１０ｄ１が一端でファン収容部１０ｂの底面１０ｂ１に連なり、底面部１０ｄ１の一部には、が曲線状に、緩やかに前下がりに傾斜する傾斜部１０ｄ２が設けられ、さらに、傾斜部１０ｄ２に連なって安全上必要な水滴溜まり１０ｄ３が設けられ、他端がファン収容部１０ｂの高さより高い、ケーシング吹出口１０ｃ、蒸気排気口３に達する。
【００２６】
蒸気排気口３は、高さがファン収容部１０ｂの高さに限定されることなく、ファン収容部１０ｂの高さよりも高く形成することができるので、設計に自由度が増す。
【００２７】
傾斜部１０ｄ２を含む底面部１０ｄ１は、ケーシング１０とユニット本体２の本体底部２ｂとの間に形成される空間ｓに突き出て、収容される。
【００２８】
再び図４、図５および図７に示すように、ユニット本体２の両側面２ｄには、この側面２ｄの中間部２ｄ１例えば側面下端２ｄ２と側面上端２ｄ３の中間位置で側面下端寄りには、一対の長尺の取付部材１４、１４が設けられる。この取付部材１４、１４には、螺子１５が挿入される螺子孔１４ａが穿設される。また、取付部材１４、１４の高さは前面部２ｃの両前面側部２ｃ１、２ｃ１の高さ（突出）に比べて低いので、正面視、取付部材１４、１４は両前面側部２ｃ１、２ｃ１で隠される。
【００２９】
なお、図中符号１６、１７は入力端子・出力端子、符号１８は運転表示ランプ、符号１９は操作スイッチである。
【００３０】
次に蒸気排出ユニット１の収納棚３１への組み込みについて説明する。
【００３１】
製造終了時、工場で梱包され、収納棚３１への組み込み現場で開梱された蒸気排出ユニット１は、次のようにして、収納棚３１に組み込まれる。
【００３２】
図８は取付部材の一方側のみを示す断面図であり、図８および図９に示すように、蒸気排出ユニット１を水平に保った状態で、ユニット本体２の両側面２ｄ、２ｄに設けた取付部材１４、１４に前部を、収納棚３１にレール状に設けた取付部３１ａ、３１ａに載置する。
【００３３】
しかる後、取付部材１４、１４を取付部３１ａ、３１ａ上で摺動させながら、ユニット本体２の後面が収納棚３１に当接するまで、蒸気排出ユニット１を収納棚３１に押し込む。
【００３４】
取付部材１４、１４に設けた螺子孔１４ａ、１４ａ、取付部３１ａ、３１ａに設けた螺子孔３１ａ１、３１ａ１を介して螺子１５、１５により、本体底部２ｂ側から取付部材１４、１４を取付部３１ａ、３１ａに螺着する。本体底部２ｂ側からの螺着により、取り付け作業が容易である。
【００３５】
このようにして、ユニット本体２は収納棚３１の上部に組み込まれる。
【００３６】
取付部材１４、１４は、前面部２ｃの両前面側部２ｃ１、２ｃ１によって覆われ、外部から視認されず、また、取付部材１４は側面２ｄの中間部２ｄ１に設けられるので、通常の姿勢の使用者からは視認されず、美観に優れる。
【００３７】
また、取付部材１４、１４が中間部２ｄ１に設けられるので、梱包時を始め、開梱および収納棚３１への組み込み時にも、側面下端２ｄ２および前面部２ｃの両前面側部２ｃ１、２ｃ１に守られて、取付部材１４、１４が他のものに当たることがなく、取付部材１４、１４の変形が防止される。
【００３８】
従って、収納棚３１への組み込みが容易になり、また、組み込み後に収納棚３１に対しても水平が保たれ、美観に優れる。
【００３９】
本実施形態の蒸気排出ユニットによれば、収納棚への組み込みが容易で、美観に優れた蒸気排出ユニットが実現する。
【図面の簡単な説明】
【００４０】
【図１】本発明の一実施形態に係る蒸気排出ユニットを備えた収納棚の正面図。
【図２】本発明の一実施形態に係る蒸気排出ユニットを備えた収納棚の斜視図。
【図３】本発明の一実施形態に係る蒸気排出ユニットの正面図。
【図４】本発明の一実施形態に係る蒸気排出ユニットの下面図。
【図５】本発明の一実施形態に係る蒸気排出ユニットの天板を外しダクトを透視した状態の平面図。
【図６】本発明の一実施形態に係る蒸気排出ユニットの幅方向の縦断面図。
【図７】本発明の一実施形態に係る蒸気排出ユニットの組み込み状態を示す斜視図。
【図８】本発明の一実施形態に係る蒸気排出ユニットに用いる取付部材の使用状態を示す断面図。
【図９】本発明の一実施形態に係る蒸気排出ユニットを収納棚に組み込んだ状態を示す斜視図。
【図１０】従来の蒸気排出ユニットに用いる取付部材の使用状態を示す断面図。
【符号の説明】
【００４１】
１  蒸気排出ユニット
２  ユニット本体
２ａ  天板
２ｂ  本体底部
２ｃ  前面部
２ｃ１  前面側部
２ｄ  側面
２ｄ１  中間部
２ｄ２  側面下端
２ｄ３  側面上端
３  蒸気排気口
４  凹部形成板
４ａ  通気孔
５  凹部
５ａ  下端部
６  蒸気分散板
７  蒸気吸込口
８  送風機
９  遠心式ファン
１０  ケーシング
１０ａ  ケーシング吸込口
１０ｂ  ファン収容部
１０ｂ１  底面
１０ｃ  ケーシング吹出口
１０ｄ  排気路部
１０ｄ１  底面部
１０ｄ２  傾斜部
１０ｄ３  水滴溜まり
１１  モータ
１２  ダクト
１２ａ  ダクト吸込口
１２ｂ  ダクト吹出口
１３  通気路
１４  取付部材
１５  螺子
１６  入力端子・出力端子
１７  入力端子・出力端子
１８  運転表示ランプ
１９  操作スイッチ
【図１】
2010046302.tif 000003
【図２】
2010046302.tif 000004
【図３】
2010046302.tif 000005
【図４】
2010046302.tif 000006
【図５】
2010046302.tif 000007
【図６】
2010046302.tif 000008
【図７】
2010046302.tif 000009
【図８】
2010046302.tif 000010
【図９】
2010046302.tif 000011
【図１０】
2010046302.tif 000012